【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
ティッシュロール（１００）から連続したティッシュの網の部分を供給するティッシュディスペンサ（１）内の充填水準を検出する方法（２０００）であって、
前記方法（２０００）は、
前記ティッシュディスペンサ（１）によって供給されたティッシュの部分を数えること（２００１）と、
カウンタデータおよび初期ティッシュの種類の情報に基づいて初期充填水準を特定すること（２００１）と、
前記ティッシュディスペンサ（１）内で、第１ティッシュロール位置（１１９）から第２ティッシュロール位置（１２９）へのティッシュロール（１１０）のロール交換が発生した時の前記カウンタデータに基づいて検証された充填水準を特定すること（２００２）と、
前記ティッシュディスペンサ（１）内で、前記第１ティッシュロール位置（１１９）から前記第２ティッシュロール位置（１２９）へのティッシュロール（１１０）のロール交換が発生した時、検証されたティッシュの種類の情報を特定すること（２００３）と、を有し、
前記検証されたティッシュの種類の情報は、前記ロール交換の時において特定され、
前記初期充填水準は、検証されたティッシュの種類の情報が特定されない限り、特定時において、前記カウンタデータと共に前記初期ティッシュの種類の情報に基づく前記充填水準に対応し、
前記検証された充填水準は、前記ティッシュロールの位置の変化の出来事、及び第１ティッシュロール位置から第２ティッシュロール位置へのティッシュロールの交換時に対応する前記カウンタデータを考慮して特定され、
前記検証された充填水準の前記特定は、前記ロール交換に関するデータ、即ち前記ロール交換時における前記ティッシュロールの減少された直径、及び／または前記第２ティッシュロール位置における前記ティッシュロールの最大直径により、
前記初期ティッシュの種類の情報は、デフォルトとして設定される情報であり、
前記初期ティッシュの種類の情報は、標準ティッシュの種類に対応し、
前記ティッシュの種類の情報は、
−前記ティッシュロール上のティッシュの長さ
−層の数
−ティッシュの厚み
−ティッシュの材料
−使い捨てまたは再利用できるティッシュ
の少なくとも１つまたは複数に関する情報を有し、
前記初期充填水準は、検証されたティッシュの種類の情報が特定されない限り、特定時において、前記カウンタデータと共に前記初期ティッシュの種類の情報に基づく前記充填水準に対応する、方法（２０００）。
【請求項２】
特に、前記ティッシュディスペンサ（１）内で、第１ティッシュロール位置（１１９）から第２ティッシュロール位置（１２９）へのティッシュロール（１１０）のロール交換が発生した後、および／または、前記第１ティッシュロール位置（１１９）へのティッシュロール（１００）の補充が発生した後、
前記ティッシュディスペンサ（１）に供給されるティッシュの部分の大きさを調整すること（２００４）、を有する、請求項１に記載の方法（２０００）。
【請求項３】
望ましくは、保持機構（２００）が解放位置を取ったことの信号を前記保持機構（２００）から受信することによって、前記ティッシュディスペンサ（１）内で、第１ティッシュロール位置（１１９）から第２ティッシュロール位置（１２９）へのティッシュロール（１１０）のロール交換を特定すること（２００５）および／または、
望ましくは、前記保持機構（２００）が保持位置を取ったことの信号を前記保持機構（２００）から受信することによって、前記第１ティッシュロール位置（１１９）内に新しいティッシュロール（１１０）が受けられたことを特定すること（２００６）および／または、
望ましくは、前記第２ティッシュロール位置（１２９）が空いているかを検出する検出器（７００）から信号を受信することによって、前記第２ティッシュロール位置（１２９）が空いていることを特定すること（２００７）および／または、
望ましくは、前記第２ティッシュロール位置（１２９）内にティッシュロール（１１０）が存在することを検出する検出器（７００）から信号を受信することによって、前記第２ティッシュロール位置（１２９）内にティッシュロール（１１０）が存在することを特定すること（２００８）、を有する、請求項１又は２に記載の方法（２０００）。
【請求項４】
前記第１ティッシュロール位置（１１９）内のティッシュロールの存在および／または不在および／または、
前記第２ティッシュロール位置（１２９）内のティッシュロールの存在および／または不在および／または、
前記第１ティッシュロール位置（１１９）内の新しいティッシュロールの補充および／または、
第１ティッシュロール位置から第２ティッシュロール位置（１２９）へのティッシュロールのロール交換、
に基づいて前記充填水準を特定すること（２００３’）、を有する、請求項１から３のいずれか一項に記載の方法（２０００）。
【請求項５】
望ましくは、双方向および／または無線な方法で、外部通信ユニット（１１００）および／またはバックエンド（backend）ユニット（１２００）と通信すること（２００９）および／または、
−初期充填水準
−検証された充填水準
−時刻印
−初期ティッシュの種類の情報
−検証されたティッシュの種類の情報
−部分の大きさ、特に、現在供給される部分大きさおよび／または部分のコンフォートサイズおよび／または部分のエコサイズ
−ティッシュロール（１１０）毎の供給される部分の数
−供給モード
−前記第１ティッシュロール位置（１１９）内のティッシュロールの存在および／または不在
−前記第２ティッシュロール位置（１２９）内のティッシュロールの存在および／または不在
−前記第１ティッシュロール位置（１１９）内の新しいティッシュロールの補充
−第１ティッシュロール位置（１１９）から第２ティッシュロール位置（１２９）へのティッシュロールのロール交換
−前記ティッシュディスペンサ（１）の近位度センサの設定
−エネルギ供給水準
−技術的ステータス
−部分除去または部分格納無しの供給された部分の数
−（製品寿命中）供給された部分の合計数
−警告および／または警告の設定
−前記ティッシュディスペンサ（１）の場所および／または位置および／またはグループ割当
の１つまたはそれより多くに関する情報を特定および／または保存および／または通信すること（２０１０）、を有する、請求項１から４のいずれか一項に記載の方法（２０００）。
【請求項６】
ティッシュロールから連続したティッシュの網の部分を供給するティッシュディスペンサ（１）内の充填水準を検出する配置（１０００）であって、
前記ティッシュディスペンサ（１）によって供給されるティッシュの部分を数えるように改造されているカウンタ（１００１）と、
前記カウンタからカウンタデータを受信するように改造されている制御ユニット（１００２）と、
を備え、
前記制御ユニット（１００２）は、前記ティッシュディスペンサ（１）内で、第１ティッシュロール位置（１１９）から第２ティッシュロール位置（１２９）へのティッシュロール（１１０）のロール交換が発生した時の前記カウンタデータに基づいて検証された充填水準を特定するように改造され、
前記制御ユニット（２００２）は、前記ティッシュディスペンサ（１）内で、第１ティッシュロール位置（１１９）から第２ティッシュロール位置（１２９）へのティッシュロール（１１０）のロール交換が発生した時、検証されたティッシュの種類の情報を特定するように改造され、
前記検証されたティッシュの種類の情報は、前記ロール交換の時において特定され、
前記検証された充填水準は、前記ティッシュロールの位置の変化の出来事、及び第１ティッシュロール位置から第２ティッシュロール位置へのティッシュロールの交換時に対応する前記カウンタデータを考慮して特定され、
前記検証された充填水準の前記特定は、前記ロール交換に関するデータ、即ち前記ロール交換時における前記ティッシュロールの減少された直径、及び／または前記第２ティッシュロール位置における前記ティッシュロールの最大直径により、
前記制御ユニットは、前記カウンタデータ及び初期ティッシュの種類の情報に基づいて、初期充填水準を特定するように適合され、
前記初期ティッシュの種類の情報は、デフォルトとして設定される情報であり、
前記初期ティッシュの種類の情報は、標準ティッシュの種類に対応し、
前記ティッシュの種類の情報は、
−前記ティッシュロール上のティッシュの長さ
−層の数
−ティッシュの厚み
−ティッシュの材料
−使い捨てまたは再利用できるティッシュ
の少なくとも１つまたは複数に関する情報を有し、
前記初期充填水準は、検証されたティッシュの種類の情報が特定されない限り、特定時において、前記カウンタデータと共に前記初期ティッシュの種類の情報に基づく前記充填水準に対応する、配置（１０００）。
【請求項７】
特に、前記ティッシュディスペンサ（１）内で、第１ティッシュロール位置（１１９）から第２ティッシュロール位置（１２９）へのティッシュロール（１１０）のロール交換が発生した後、および／または、前記第１ティッシュロール位置（１１９）へのティッシュロール（１００）の補充が発生した後、
前記制御ユニット（２００２）は、前記ティッシュディスペンサ（１）に供給されるティッシュの部分の大きさを調整するように改造されている、請求項６に記載の配置（１０００）。
【請求項８】
前記制御ユニット（２００２）は、望ましくは、保持機構が解放位置を取ったことの信号を前記保持機構から受信することによって、前記ティッシュディスペンサ内で、第１ティッシュロール位置から第２ティッシュロール位置へのティッシュロールのロール交換を特定するように改造されているおよび／または、
前記制御ユニット（２００２）は、望ましくは、前記保持機構（２００）が保持位置を取ったことの信号を前記保持機構（２００）から受信することによって、前記第１ティッシュロール位置（１１９）内に新しいティッシュロールが受けられたことを特定するように改造されているおよび／または、
前記制御ユニット（２００２）は、望ましくは、前記第２ティッシュロール位置（１２９）が空いているかを検出する検出器（７００）から信号を受信することによって、前記第２ティッシュロール位置（１２９）が空いていることを特定するように改造されているおよび／または、
前記制御ユニット（２００２）は、前記制御ユニット（２００２）は、望ましくは、前記第２ティッシュロール位置（１２９）内にティッシュロールが存在することを検出する検出器（７００）から信号を受信することによって、前記第２ティッシュロール位置（１２９）内にティッシュロールが存在することを特定するように改造されている、請求項６又は７に記載の配置（１０００）。
【請求項９】
前記制御ユニット（１０００）は、
前記第１ティッシュロール位置（１１９）内のティッシュロールの存在および／または不在および／または、
前記第２ティッシュロール位置（１２９）内のティッシュロールの存在および／または不在および／または、
前記第１ティッシュロール位置（１１９）内の新しいティッシュロールの補充および／または、
第１ティッシュロール位置から第２ティッシュロール位置（１２９）へのティッシュロールのロール交換、
に基づいて前記充填水準を特定するように改造されている、請求項６から８のいずれか一項に記載の配置（１０００）。
【請求項１０】
前記制御ユニットは、望ましくは、双方向および／または無線な方法で、外部通信ユニット（１１００）および／またはバックエンド（backend）ユニット（１２００）と通信するように改造されているおよび／または、
前記制御ユニットは、
−初期充填水準
−検証された充填水準
−時刻印
−初期ティッシュの種類の情報
−検証されたティッシュの種類の情報
−部分の大きさ、特に、現在供給される部分大きさおよび／または部分のコンフォートサイズおよび／または部分のエコサイズ
−ティッシュロール（１１０）毎の供給される部分の数
−供給モード
−前記第１ティッシュロール位置（１１９）内のティッシュロールの存在および／または不在
−前記第２ティッシュロール位置（１２９）内のティッシュロールの存在および／または不在
−前記第１ティッシュロール位置（１１９）内の新しいティッシュロールの補充
−第１ティッシュロール位置（１１９）から第２ティッシュロール位置（１２９）へのティッシュロールのロール交換
−前記ティッシュディスペンサ（１）の近位度センサの設定
−エネルギ供給水準
−技術的ステータス
−部分除去または部分格納無しの供給された部分の数
−（製品寿命中）供給された部分の合計数
−警告および／または警告の設定
−前記ティッシュディスペンサ（１）の場所および／または位置および／またはグループ割当
の１つまたはそれより多くに関する情報を特定および／または保存および／または通信するように改造されている、請求項６から９のいずれか一項に記載の配置（１０００）。
【請求項１１】
請求項６から１０のいずれか一項に記載の配置（１０００）を有するティッシュディスペンサ（１）。
【請求項１２】
ティッシュディスペンサ（１）であって、
ティッシュロール（１１０）を受ける第１ティッシュロール位置（１１９）とティッシュロール（１１０）を受ける第２ティッシュロール位置（１２９）と、を備え、
前記第１ティッシュロール位置（１１９）は新しいティッシュロールを受ける受容位置であり、
前記第２ティッシュロール位置（１２９）は前記第１ティッシュロール位置（１１９）からのティッシュロールを受ける受容位置であり、
望ましくは、前記第１ティッシュロール位置（１１９）は前記ティッシュロール（１１０）からティッシュを供給する第１供給位置であり、および／または、
望ましくは、前記第２ティッシュロール位置（１２９）は前記ティッシュロール（１１０）からティッシュを供給する第２供給位置であり、
および／または、前記ティッシュディスペンサ（１）は、
開口できるハウジングカバー（２２）と前記ディスペンサを壁掛けするためのハウジングベース（２１）を有するハウジング（２）および／または、
供給開口（１２）および／または、
切断ユニット（１１）および／または、
ユーザインタフェース（１５）および／または、
使用者の存在を検出するための近位度センサ（１４）および／または、
望ましくは、少なくとも２つの出力ローラ、特に駆動されたローラとテンションローラとを有し、ティッシュの部分を供給するための出力機構（４００）および／または、
前記第２ティッシュロール位置（１２９）が空いているかを検出する検出器（７００）および／または、
前記第２ティッシュロール位置（１２９）内のティッシュロールから前記出力機構（４００）へのティッシュ接続（４１）の存在を検出するためのティッシュセンサ（７１０）および／または、
前記出力機構（４００）に前記第１ティッシュロール位置内のティッシュロールの端を解放可能に保持し、移動させるための伝達機構（５００）を備え、
前記伝達機構（５００）は、前記第２ティッシュロール位置が空いているとき、前記出力機構に前記第１ティッシュロール位置内のティッシュロールの前記端を移動させるために改造され、
望ましくは、前記伝達機構（５００）は、前記第１ティッシュロール位置内のティッシュロールの展開方向から独立して、前記出力機構（４００）に前記第１ティッシュロール位置内のティッシュロールの前記端を移動させるために改造されており、
および／または、前記ティッシュディスペンサ（１）は、
前記近位度センサの設定および／または供給モードの設定を表示および／または調整するように改造されている操作者インターフェースおよび／または、
保持配置（２００）を備え、
前記保持配置（２００）は、
前記第１ティッシュロール位置内にティッシュロールを保持する保持機構（２１０）と、
前記第１ティッシュロール位置のティッシュロール（１００）の直径を検出する直径センサ（６００）と、
前記保持機構（２１０）と前記直径センサ（６００）とを接続するシフト機構（３００）と、
を備え、
前記保持機構（２１０）は、ティッシュロールの軸（１１０）の第１端と係合する第１保持要素（２１１）と、ティッシュロールの軸（１１０）の第２端と係合する第２保持要素（２１２）と、を有し、
前記シフト機構（３００）は、前記保持機構（２１０）、特に前記第１および第２保持要素（２１１、２１２）を保持位置から解放位置およびその逆に変更するように改造されている、請求項１１に記載のティッシュディスペンサ（１）。
【請求項１３】
複数（１１１１）の、請求項１１又は１２に記載のティッシュディスペンサ（１）と、
バックエンド（backend）ユニット（１２００）と、
複数の携帯装置（１３００）と、
望ましくは、外部通信ユニット（１１９９）と、
を備える、ディスペンサシステム（３０００）。